(57)【要約】      （修正有）【課題】高歩留まり、より短い製造時間、簡略化した製造工程および低コストのコネクタを提供する。【解決手段】コネクタ１００は、筐体１０６および基部１０４を備える。前記筐体１０６は、第１種のプラグ１１４を収容するための収容穴部１０８を有する。前記基部１０４は、前記筐体１０６と共に組み立てられ、少なくとも１つのフールプルーフ構造１１０を有する。前記フールプルーフ構造１１０および前記基部１０４は、一体成形として形成される。前記フールプルーフ構造１１０は、互換性のないプラグの挿入を阻止するために前記収容穴部１０８の内側に突き出ている。【選択図】図１
0003150327.tif 000002
【実用新案登録請求の範囲】
【請求項１】
第１種のプラグを収容するための収容穴部を有する筐体と、
前記筐体と共に組み立てられ、前記収容穴部の内側に突き出ている少なくとも１つのフールプルーフ構造を有する基部と、
を備えるコネクタにおいて、
前記フールプルーフ構造および前記基部は、一体成形として形成され、
前記フールプルーフ構造は、互換性のないプラグの挿入を阻止するために使用されることを特徴とするコネクタ。
【請求項２】
前記基部と接続した回路基板をさらに備え、
前記回路基板は、回路あるいはその回路に配置された電気素子を有することを特徴とする請求項１に記載のコネクタ。
【請求項３】
前記筐体および前記基部を覆う遮蔽部をさらに備えることを特徴とする請求項１または２に記載のコネクタ。
【請求項４】
前記遮蔽部は金属または導電材料であり、前記筐体および前記基部の材料はプラスチック繊維、炭素繊維あるいは絶縁材料であることを特徴とする請求項３に記載のコネクタ。
【請求項５】
前記フールプルーフ構造は突起状のバリケード部を備え、前記バリケード部は、前記フールプルーフ構造の末端に対して傾斜して延伸していることを特徴とする請求項１または２に記載のコネクタ。
【請求項６】
前記バリケード部および前記フールプルーフ構造は、一体成形として形成されることを特徴とする請求項５に記載のコネクタ。
【請求項７】
前記第１種のプラグが前記収容穴部に挿入される時、前記フールプルーフ構造は回転し、あるいは変形することを特徴とする請求項１または２に記載のコネクタ。
【請求項８】
前記コネクタは、ＲＪ１１コネクタ、ＲＪ４５コネクタ、ＵＳＢコネクタあるいはブリッジ型であることを特徴とする請求項１または２に記載のコネクタ。
【請求項９】
前記基部は、前記回路基板、前記電気素子あるいはシステムと電気的に接続された少なくとも１つのリード線をさらに備えることを特徴とする請求項１または２に記載のコネクタ。
【請求項１０】
前記基部は、射出成形、成形加工あるいは切断によって形成できることを特徴とする請求項１または２に記載のコネクタ。
【考案の詳細な説明】
【技術分野】
【０００１】
本考案は、コネクタ、特に高歩留まり、より短い製造時間、簡略化した製造工程および低コストのコネクタに関するものである。
【背景技術】
【０００２】
一般に、ＲＪ１１コネクタプラグおよびＲＪ４５コネクタプラグは類似しているので、互換性のないジャックに容易に挿入される。そこに配置した適切なフールプルーフを持たない構造を有するコネクタは、挿入の誤りにより破損するだろう。
【０００３】
したがって従来のコネクタは、誰もが間違った挿入を防ぐために、フールプルーフ外部構造を提供する。前記フールプルーフ構造は、外側部材なので、付加的成形工程、位置決め工程、および固着工程は、従来のコネクタの製造工程内に要求され、低歩留まり、より長い製造時間、複雑な製造工程および高コストの問題を引き起こす。
【考案の概要】
【考案が解決しようとする課題】
【０００４】
上述に鑑みて本考案は、高歩留まり、より短い製造時間、簡略化した製造工程および低コストのコネクタを提供することにある。
【課題を解決するための手段】
【０００５】
上記を達成するために本考案は、筐体および基部を備えたコネクタを開示する。前記筐体は、第１種のプラグを収容するための収容穴部を有する。前記基部は、前記筐体と共に組み立てられ、少なくとも１つのフールプルーフ構造を有する。前記フールプルーフ構造および前記基部は、一体成形として形成される。前記フールプルーフ構造は、互換性のないプラグの挿入を阻止するために、前記収容穴部の内側に突き出ている。
【０００６】
前記コネクタは、回路基板および遮蔽部をさらに備える。前記回路基板は、前記基部に接続され、前記遮蔽部は前記筐体および前記基部を覆う。前記遮蔽部は金属製または導電材料でできている。
【０００７】
本発明の前記コネクタにおいて前記筐体および前記基部は、プラスチック繊維、炭素繊維あるいは絶縁材料とすることができる。前記フールプルーフ構造は、突起状のバリケード部を有し、前記バリケード部および前記フールプルーフ構造は、一体成形として形成される。突起状の前記バリケード部は、前記フールプルーフ構造の末端の延伸方向に対してある角度で傾斜して延伸している。前記第１種のコネクタが前記収容穴部に挿入される時には、前記フールプルーフ構造は変形し、あるいは回転する。
【０００８】
さらに前記基部は、射出成形、成形加工あるいは切断によって形成できる。前記基部は、前記筐体の背面に配置される。前記基部は、回路基板、電気素子あるいはシステムと電気的に接続された少なくとも１つのリード線１１８をさらに備える。前記フールプルーフ構造の数は、１つ以上とすることができる。
【０００９】
さらに前記コネクタは、ＲＪ１１コネクタ、ＲＪ４５コネクタ、ＵＳＢコネクタあるいはブリッジ型とすることができる。
【考案の効果】
【００１０】
要約すると、本考案の前記コネクタのフールプルーフ構造は、前記基部から外側へ延伸される。したがって、付加的成形工程、位置決め工程および固着工程は、歩留まりの上昇、製造時間の減少、複雑な製造工程の減少、製造コストの低下をするためには必要としない。さらに前記基部の材料がプラスチックの時、前記フールプルーフ構造は、より弾性的で、より低コストで、優れた耐久性を有し、より容易な成形で、正確な位置決めであるという利点がある。
【図面の簡単な説明】
【００１１】
【図１】本考案のコネクタおよび第１種のプラグの断面図である。
【図２】本考案のコネクタおよび第２種のプラグの断面図である。
【考案を実施するための形態】
【００１２】
本考案は、実例としてのみ与えられ、したがって本考案の制限的でない、以下の詳細な説明および添付図面からさらに十分に理解される。
【００１３】
本考案は、添付図面を参照して進行する以下の詳細な説明から明らかにしていく。また図中では、同じ構成要素には同じ参照符号を表示して説明していく。
【実施例】
【００１４】
図１は、本考案のコネクタ１００および互換性のある第１種のプラグ１１４の断面図である。図１を参照すると、コネクタ１００は、筐体１０６および基部１０４を備える。コネクタ１００は、ＲＪ１１コネクタ、ＲＪ４５コネクタ、ＵＳＢコネクタあるいはブリッジ型とすることができる。
【００１５】
筐体１０６は、第１種のプラグ１１４を収納するための収容穴部１０８を有する。筐体１０６の材料は、プラスチック繊維、炭素繊維あるいは絶縁材料とすることができる。
【００１６】
基部１０４は、筐体１０６と組み立てられる。さらに具体的に言えば基部１０４は、筐体１０６の背面に配置される。基部１０４は、少なくとも１つのフールプルーフ構造１１０を有する。フールプルーフ構造１１０および基部１０４は、一体成形として形成される。基部１０４の材料は、プラスチック繊維、炭素繊維あるいは絶縁材料とすることができる。基部１０４は、射出成形、成形加工あるいは切断によって形成できる。
【００１７】
フールプルーフ構造１１０は、収容穴部１０８の内側に突き出ている。第１種のプラグ１１４が収容穴部１０８に挿入される時には、第１種のプラグ１１４が収容穴部１０８に完全に挿入できるように、フールプルーフ構造１１０は回転し、あるいは変形する。一方、図２に示すように、第２種のプラグ１２０などの互換性のないプラグが収容穴部１０８に挿入される時には、第２種のプラグ１２０の挿入動作を阻止するために、フールプルーフ構造１１０は回転せず、あるいは変形しない。フールプルーフ構造１１０の数は、１つ以上とすることができる。
【００１８】
フールプルーフ構造１１０は、突起状のバリケード部１１２を備える。バリケード部１１２およびフールプルーフ構造１１０は、一体成形として形成され、突起状のバリケード部１１２は、フールプルーフ構造１１０の末端の延伸方向に対してある角度で傾斜して延伸している。バリケード部１１２は、またさらに、コネクタ１００が誤った挿入に対して防止するように、形成することができる。
【００１９】
コネクタ１００は、基部１０４と接続した回路基板１１６を備える。回路基板１１６は、回路あるいはその回路に配置された電気素子を有し、それによって、演算、制御、伝送あるいはフィルタ機能を実現する。
【００２０】
基部１０４は、回路基板１１６、電気素子あるいはシステムと、電気的に接続された少なくとも１つのリード線１１８をさらに備える。リード線１１８はまた、第１種のプラグ１１４と回路基板１１６、電気素子あるいはシステムの間との連鎖端子となることができる。
【００２１】
前記コネクタは、遮蔽部１０２をさらに備える。遮蔽部１０２は、筐体１０６および基部１０４を覆い、それによって、筐体１０６および基部１０４を保護し、コネクタ１００のノイズ遮蔽を提供する。遮蔽部１０２は、金属または導電材料である。
【００２２】
要約すると、本考案のコネクタのフールプルーフ構造は、前記基部から外側へ延伸される。したがって、付加的成形工程、位置決め工程、および固着工程は、歩留まりの上昇、製造時間の減少、複雑な製造工程の減少、製造コストの低下をするためには必要としない。さらに前記基部の材料がプラスチックの時、前記フールプルーフ構造は、より弾性的で、より低コストで、優れた耐久性を有し、より容易な成形で、正確な位置決めであるという利点がある。
【００２３】
本考案は具体的な実施例に関して説明してきたが、本説明は限定的意味で解釈されることを言っているのではない。公開された実施例および他の実施例の様々な変更は、当業者には明らかであろう。したがって本実用新案は、本考案の真の範囲内にあるすべての変更をカバーするであろうと考えられる。
【符号の説明】
【００２４】
１００  コネクタ
１０２  遮蔽部
１０４  基部
１０６  筐体
１０８  収容穴部
１１０  フールプルーフ構造
１１２  突起状のバリケード部
１１４  第１種のプラグ
１１６  回路基板
１１８  リード線
１２０  第２種のプラグ
【図１】
0003150327.tif 000003
【図２】
0003150327.tif 000004